(57)【特許請求の範囲】
【請求項１】
蛇口内へ嵌挿できる筒状弁体の上部側壁に、水量を調節する通水孔を、中央孔と連通して穿設し、前記筒状弁体の上部外側へ、前記蛇口内壁の下方屈曲壁と掛止できると共に、筒状弁体の回転により下方屈曲壁との掛止を解除することができる弾性掛止片を設けたことを特徴とする節水弁。
【請求項２】
蛇口内へ嵌挿できる筒状弁体の上部側壁に、水量を調節する通水孔を、中央孔と連通して穿設し、前記筒状弁体の上部外側へ、前記蛇口内壁の下方屈曲壁と掛止できると共に、筒状弁体の回転により下方屈曲壁との掛止を解除できる弾性掛止片を設け、前記筒状弁体の下端部へ筒体の内側に水の流動方向と直角方向に、網及び整流板を並設した分散嘴を着脱自在に取り付けたことを特徴とする節水弁。
【請求項３】
蛇口内へ、通水孔の断面積の規制により水量調節できる節水弁を着脱自在に嵌挿固定し、該節水弁は、その上部外側に、蛇口の内壁の下方屈曲壁と掛脱できる弾性掛止片２を設け、該弾性掛止片２に屈曲部２ｂを設け、屈曲部２ｂの下端部には、蛇口の内壁側に向けて下向き斜めに屈曲する掛止部２ｃを設けてあり、前記節水弁の下部へ分散嘴を取り付けたことを特徴とする節水装置。
【発明の詳細な説明】
【０００１】
【発明の属する技術分野】
この発明は、蛇口の内側へ嵌挿固定して節水することを目的とした節水弁及び節水装置に関する。
【０００２】
【従来の技術】
従来弁体の通水孔の断面積を規制して節水目的を達成する節水弁が知られていた（特開平９−１６５８０５号）。
【０００３】
【発明により解決しようとする課題】
前記従来の節水弁は、蛇口の端部外側にねじを切り、該ねじに螺合する形式、又は水栓の接続部に介装する形式であって、多数使用されているが、蛇口の外側にねじがない場合には、取り付け出来ない問題点があった。例えば給湯管と給水管とを一つの蛇口に連結する方式の水栓にあっては、蛇口の端部外側にねじがないものが大部分であり、前記従来の節水弁を取りつけることが出来ない問題点があった。
【０００４】
前記蛇口の端部をねじを切れば節水弁を取りつけることができるが、取り付け作業に時間と労力が掛かる問題点があるのみならず、ねじを切らなければ、従来設置された多数の蛇口に節水弁を取り付けることが出来ない問題点があった。例えば、多数の蛇口を有するビル、ホテルその他において、節水弁を取り付けた蛇口と、取り付けない蛇口とが混在することになるおそれがあった。
【０００５】
【課題を解決する為の手段】
この発明は、節水弁に、蛇口の内壁と掛止する弾性掛止片を取り付けることにより、前記従来の問題点を解決したのである。
【０００６】
この発明は、蛇口内へ嵌挿できる筒状弁体の上部側壁に、水量を調節する通水孔を、中央孔と連通して穿設し、前記筒状弁体の上部外側へ、前記蛇口内壁の下方屈曲壁と掛止できると共に、筒状弁体の回転により下方屈曲壁との掛止を解除することができる弾性掛止片を設けたことを特徴とする節水弁であり、蛇口内へ嵌挿できる筒状弁体の上部側壁に、水量を調節する通水孔を、中央孔と連通して穿設し、前記筒状弁体の上部外側へ、前記蛇口内壁の下方屈曲壁と掛止できると共に、筒状弁体の回転により下方屈曲壁との掛止を解除できる弾性掛止片を設け、前記筒状弁体の下端部へ筒体の内側に水の流動方向と直角方向に、網及び整流板を並設した分散嘴を着脱自在に取り付けたことを特徴とする節水弁である。
【０００７】
他の発明は、蛇口内へ、通水孔の断面積の規制により水量調節できる節水弁を着脱自在に嵌挿固定し、該節水弁は、その上部外側に、蛇口の内壁の下方屈曲壁と掛脱できる弾性掛止片２を設け、該弾性掛止片２に屈曲部２ｂを設け、屈曲部２ｂの下端部には、下方へ屈曲する掛止部２ｃを設けてあり、前記節水弁の下部へ分散嘴を取り付けたことを特徴とする節水装置である。
【０００８】
前記において、弾性掛止片は、弾片の一端部を弁体上に固定し、他端部を筒体の縦溝に沿って屈曲すると共に、片持ち状に設置し、弾性掛止片の自由端部を下向き斜めに屈曲して屈曲片としたものである。このようにすれば、節水弁を嵌挿する際には掛止片が自動的に変形して、前記縦溝内へ収容され、掛止時には突出して掛止することができる。また前記屈曲片の一側を弧状に形成しておけば、該弧状部側へ、弁体を回転すれば、前記屈曲片が自動的に変形して縦溝内へ退避するので、弁体を容易に抜き取ることが出来る。
【０００９】
【発明の実施の形態】
この発明は、節水用の通水孔を有する筒状弁体を蛇口内へ着脱自在に嵌挿できるようにした節水弁であって、全体は有頂筒状であって、側壁に水量を調節する為の通水孔を有すると共に、上端部には、蛇口内壁と掛止する弾性掛止片の上端部が固定してある。また弾性掛止片の他端部は、前記筒状弁体の側壁に設けた溝に沿って下方へ屈曲してあると共に、その下端を蛇口の内壁側へ屈曲して掛止部とし、前記筒状弁体の内壁と掛止する。
【００１０】
前記筒状弁体の下部には、筒体内に網板等を収容した分散嘴が連結してあり、整流すると共に、空気を補給している。
【００１１】
前記における弾性掛止片の掛止部は、若干下向き傾斜になっているので、筒状弁体を圧入する際に、掛止片は自動的に溝側へ移行し、前記筒状弁体を蛇口内へ円滑に収容することができる。前記において、筒状弁体を回転すると、掛止片も回転し、掛止片の掛止部が蛇口の内壁にぶつかって自動的に溝側へ退避するので、容易に筒状弁体を取り外すことができる。
【００１２】
【実施例１】
この発明の節水弁の実施例を図１、２、３に基づいて説明する。頂板１ａを有する筒状弁体１の上端部に、弾性掛止片２の上部２ａをビス３で固定し、前記弾性掛止片２の下部は、前記筒状弁体１の側壁１ｂに沿って下方へ屈折した屈曲部２ｂを設け、屈曲部２ｂの下端部は外方へ屈曲して掛止部２ｃを形成し、掛止部２ｃは下方へ若干（例えば５度〜１０度）屈曲すると共に、一側隅は弧状２ｄに形成してある。
【００１３】
前記筒状弁体１の外壁には環状溝４が設けてあり、該環状溝４に掛るように通水孔５を横方向に穿設し、前記屈曲部２ｂは筒状弁体１の縦溝６に収容可能に対向しており、この発明の節水弁２７を構成する。前記筒状弁体１の下端鍔部７には螺糸７ａが設けてあって、この螺糸７ａに筒体８の上端部が螺合している。前記筒体８内には、組立て筒９を内装し、組立て筒９の上部の段部９ａに弧状網１０、多孔板１１が掛止され、前記組立て筒９の下部内側には弧状フィルター１２と、平板フィルター１３が設置され、最下部内側に補強網１４が嵌着してある。前記弧状網１０、多孔板１１及び弧状フィルター１２の中央部には支軸１５が設置され、相互間隔を保っている。前記組立て筒９は、前記筒体８の内側へ間隙１６を介して設置されると共に、前記組立て筒９の側壁には通気孔１７が穿設してある。図中１８は筒状弁体１と蛇口１９の内壁との間に介装するＯリング、２０は組立て筒９と、筒状弁体１の下端面との間に介装したＯリングである。
【００１４】
前記実施例において、通水孔５の口径により節水割合を定める。例えば高層ビルにおいて、上層部は大径（例えば５ｍｍ）、中層部は中径（例えば４．５ｍｍ）、下層部は小径（例えば４ｍｍ）にすれば、水圧による放水量の相違を制御することが出来る。また通常放水のまま手を洗ったり、洗顔するが、使用水量中有効水量は僅少（例えば１０％〜２０％）であるから、無駄な水量を少なくする為に、放水量を２０％〜５０％削減する場合もある。このような時には、求める減水量に応じて、前記通水孔の直径を定める。この場合においても常時水圧に留意し、場所の高低、水圧の高低に拘わらず、同一放水量になるように調節する。
【００１５】
前記は、放置場所の水圧と、高低が分れば、容易に正しい選定をすることが出来る。前記実施例において、水は矢示２１のように通水孔５から入り、矢示２２、２３のように筒状弁体内を通過し、各種網を透過して、矢示２４のように放出される。
【００１６】
前記において、空気が矢示２５のように間隙１６を上昇し、通気孔１７から弧状フィルター１２上へ矢示２６のように供給されるので、矢示２３のように流下する水と混合し、２枚のフィルターを通過する間に、均一に混合されて矢示２４のように放出されるので、洗浄効率を高めることが出来ると共に、見掛け水量も多くなるので、ユーザも満足できる。
【００１７】
【実施例２】
この発明の節水装置３０は、前記筒体８付きの節水弁２７を蛇口１９に取り付けて構成する。前記節水装置３０を取り付けるには、図中矢示２８のように節水弁２７の上端部を蛇口１９内に案内し、同方向へ押し込むと、掛止部２ｃが矢示２９の方向へ押圧され、弾性掛止片２の屈曲部２ｂを矢示３１の方向へ押し込むようになり、前記掛止部２ｃが容易に蛇口１９の内側へ入るので、節水弁２７を円滑に挿入することができる。
【００１８】
前記掛止部２ｃが、蛇口１９の下方屈曲壁１９ａに達すると、前記掛止部２ｃは、前記下方屈曲壁１９ａに掛止するので、筒状弁体１は、前記掛止部２ｃと、蛇口１９の下方屈曲壁１９ａと、蛇口１９の下端縁１９ｂと、前記下端鍔部７ａとの間で固定され、節水弁２７は蛇口１９内へ安定固定される。
【００１９】
前記節水弁２７を取る必要が生じた際は、節水弁２７を図中矢示３３の方向へ回転すれば、前記掛止部２ｃは、蛇口内壁のカーブの変化により押圧されて、図７（ｂ）のように縦溝６内へ押し込まれるので、図６中矢示３４の方向へ引張れば、容易に取り出すことが出来る。
【００２０】
前記のように、節水弁２７はワンタッチで挿入固定できるので、作業性がきわめて良好であり、かつ蛇口を加工する必要がないので、設置に際し器具も不要である。
【００２１】
【発明の効果】
この発明によれば、蛇口の外側に螺糸がない場合であっても、節水弁を容易・確実に装着し、節水し得る効果がある。
【００２２】
また節水弁は必要に応じて容易に取り外すことができるので、節水率を選定し得る効果がある。
前記装着は、筒状弁体の上部外側へ蛇口内壁の下方屈曲壁と掛止できる弾性掛止片を設けたので、前記筒状弁体を挿入するのみで容易に掛止し、回転して弾性掛止片の掛止を解けば、容易に取り外し得る効果がある。
【図面の簡単な説明】
【図１】この発明の実施例の縦断側面図。
【図２】同じく正面図。
【図３】同じく下面図。
【図４】同じく側面図。
【図５】同じく節水弁取り付け状態の図。
【図６】同じく他の実施例の縦断側面図。
【図７】（ａ）同じく掛止部の掛止状態の横断説明図。
（ｂ）同じく掛止解除の横断説明図。
【符号の説明】
１  筒状弁体
２  弾性掛止片
３  ビス
４  環状溝
５  通水孔
６  縦溝
７  下端鍔部
８  筒体
９  組立て筒
１０  弧状網
１１  多孔板
１２  弧状フィルター
１３  平板フィルター
１４  補強網
１５  支軸
１６  間隙
１７  通気孔
１８、２０  Ｏリング
１９  蛇口
２７  節水弁
３０  節水装置
【図１】
0003573196.tif 000002
【図２】
0003573196.tif 000003
【図３】
0003573196.tif 000004
【図４】
0003573196.tif 000005
【図５】
0003573196.tif 000006
【図６】
0003573196.tif 000007
【図７】
0003573196.tif 000008